(57)【要約】【課題】適正な絶縁性能を確保した上でコイル用絶縁部材をコイル巻線部に組み付ける際の作業性を向上させることができるコイル部品及びコイル用絶縁部材を提供する。【解決手段】コイル部品１及び絶縁ボビン２０は、第１フランジ部２１ａ、第１リブ２１ｃ、及び、一対のロック用爪部２１ｄを有する第１絶縁ボビン２１と、第２フランジ部２２ａ、第２リブ２２ｃ、及び、一対のロック用開口部２２ｄを有する第２絶縁ボビン２２とを備え、コイル巻線部１０のコイル軸線Ｌ方向の両端部を第１及び第２フランジ部２１ａ、２２ａにより覆い、第１及び第２リブ２１ｃ、２２ｃがそれぞれコイル巻線部１０の第１及び第２スリット１１ｂ、１２ｂに嵌合された状態で一対のロック用爪部２１ｄと一対のロック用開口部２２ｄが係止される。【選択図】図３
2018101714.tif 000002
【特許請求の範囲】
【請求項１】
１本の導体がコイル軸線周りに複数回巻き回されて形成されたコイル巻線部であって前記導体が巻き回されることにより前記コイル巻線部の前記コイル軸線に沿ったコイル軸線方向の一方側の端部に第１スリットが形成され、前記コイル巻線部の前記コイル軸線方向の他方側の端部に第２スリットが形成された前記コイル巻線部と、
前記コイル巻線部の前記一方側の端部を覆う環状の第１覆い部材、前記第１覆い部材の内縁から前記コイル軸線方向に沿って前記コイル巻線部側に延在し前記コイル巻線部の内側に挿入される第１筒部、前記第１覆い部材の前記コイル巻線部側に設けられ前記第１スリットに嵌合される第１突出部、及び、前記第１筒部に設けられる第１係止部、を有する第１絶縁部材と、
前記コイル巻線部の前記他方側の端部を覆う環状の第２覆い部材、前記第２覆い部材の内縁から前記コイル軸線方向に沿って前記コイル巻線部側に延在し前記コイル巻線部の内側に挿入される第２筒部、前記第２覆い部材の前記コイル巻線部側に設けられ前記第２スリットに嵌合される第２突出部、及び、前記第２筒部に設けられ前記第１突出部が前記第１スリットに嵌合され且つ前記第２突出部が前記第２スリットに嵌合された状態で前記第１係止部に係止される第２係止部、を有する第２絶縁部材と、
を備えることを特徴とするコイル部品。
【請求項２】
前記コイル巻線部は、
有端リング状に形成され、前記コイル軸線を中心とする周方向の一方側の端部と他方側の端部とにより形成される前記第１スリットを有する第１巻線部と、
有端リング状に形成され、前記コイル軸線を中心とする周方向の一方側の端部と他方側の端部とにより形成される前記第２スリットを有する第２巻線部と、
前記第１巻線部の前記一方側の端部と前記第２巻線部の前記他方側の端部とを、前記第１巻線部と前記第２巻線部とが前記コイル軸線方向に沿って間隔を有した位置関係で前記コイル軸線方向に沿って連結する連結部と、を備える請求項１に記載のコイル部品。
【請求項３】
前記第１絶縁部材及び前記第２絶縁部材は、
前記第１筒部が前記第２筒部の内側に挿入され、
前記第１筒部又は前記第２筒部の一方に凸部を有し、
前記第１筒部又は前記第２筒部の他方に前記コイル軸線方向に沿って形成された第３スリットを有し、
前記第１係止部と前記第２係止部とが係止される位置で前記凸部が前記第３スリットに嵌合される請求項１又は２に記載のコイル部品。
【請求項４】
１本の導体がコイル軸線周りに複数回巻き回されて形成されたコイル巻線部であって前記導体が巻き回されることにより前記コイル巻線部の前記コイル軸線に沿ったコイル軸線方向の一方側の端部に第１スリットが形成され、前記コイル巻線部の前記コイル軸線方向の他方側の端部に第２スリットが形成された前記コイル巻線部における、前記一方側の端部を覆う環状の第１覆い部材、前記第１覆い部材の内縁から前記コイル軸線方向に沿って前記コイル巻線部側に延在し前記コイル巻線部の内側に挿入される第１筒部、前記第１覆い部材の前記コイル巻線部側に設けられ前記第１スリットに嵌合される第１突出部、及び、前記第１筒部に設けられる第１係止部、を有する第１絶縁部材と、
前記コイル巻線部の前記他方側の端部を覆う環状の第２覆い部材、前記第２覆い部材の内縁から前記コイル軸線方向に沿って前記コイル巻線部側に延在し前記コイル巻線部の内側に挿入される第２筒部、前記第２覆い部材の前記コイル巻線部側に設けられ前記第２スリットに嵌合される第２突出部、及び、前記第２筒部に設けられ前記第１突出部が前記第１スリットに嵌合され且つ前記第２突出部が前記第２スリットに嵌合された状態で前記第１係止部に係止される第２係止部、を有する第２絶縁部材と、
を備えることを特徴とするコイル用絶縁部材。
【発明の詳細な説明】
【技術分野】
【０００１】
本発明は、コイル部品及びコイル用絶縁部材に関する。
【背景技術】
【０００２】
従来、コイル部品は、例えば、スイッチング電源装置のトランス等に用いられている。このコイル部品は、コイル巻線部と、当該コイル巻線部を他の電子部品等から絶縁するボビンとを備えている。コイル部品は、ボビンがコイル巻線部に組み付けられ、コイル巻線部のコイル軸線方向における上下面をボビンにより覆うことによりコイル巻線部を絶縁している（例えば、特許文献１）。
【先行技術文献】
【特許文献】
【０００３】
【特許文献１】特開２０１４−１６５２７９号公報
【発明の概要】
【発明が解決しようとする課題】
【０００４】
ところで、コイル部品は、適正な絶縁性能を確保するために第１ボビンと第２ボビンとによりコイル巻線部をコイル軸線方向から挟み込んでコイル軸線方向の両側からコイル巻線部を絶縁する場合がある。この場合、第１及び第２ボビンをコイル巻線部に組み付ける際の作業性を向上させる必要があるが、この点で更なる改善の余地がある。
【０００５】
そこで、本発明は、上記に鑑みてなされたものであって、適正な絶縁性能を確保した上でコイル用絶縁部材をコイル巻線部に組み付ける際の作業性を向上させることができるコイル部品及びコイル用絶縁部材を提供することを目的とする。
【課題を解決するための手段】
【０００６】
上述した課題を解決し、目的を達成するために、本発明に係るコイル部品は、１本の導体がコイル軸線周りに複数回巻き回されて形成されたコイル巻線部であって前記導体が巻き回されることにより前記コイル巻線部の前記コイル軸線に沿ったコイル軸線方向の一方側の端部に第１スリットが形成され、前記コイル巻線部の前記コイル軸線方向の他方側の端部に第２スリットが形成された前記コイル巻線部と、前記コイル巻線部の前記一方側の端部を覆う環状の第１覆い部材、前記第１覆い部材の内縁から前記コイル軸線方向に沿って前記コイル巻線部側に延在し前記コイル巻線部の内側に挿入される第１筒部、前記第１覆い部材の前記コイル巻線部側に設けられ前記第１スリットに嵌合される第１突出部、及び、前記第１筒部に設けられる第１係止部、を有する第１絶縁部材と、前記コイル巻線部の前記他方側の端部を覆う環状の第２覆い部材、前記第２覆い部材の内縁から前記コイル軸線方向に沿って前記コイル巻線部側に延在し前記コイル巻線部の内側に挿入される第２筒部、前記第２覆い部材の前記コイル巻線部側に設けられ前記第２スリットに嵌合される第２突出部、及び、前記第２筒部に設けられ前記第１突出部が前記第１スリットに嵌合され且つ前記第２突出部が前記第２スリットに嵌合された状態で前記第１係止部に係止される第２係止部、を有する第２絶縁部材と、を備えることを特徴とする。
【０００７】
また、上記コイル部品において、前記コイル巻線部は、有端リング状に形成され、前記コイル軸線を中心とする周方向の一方側の端部と他方側の端部とにより形成される前記第１スリットを有する第１巻線部と、有端リング状に形成され、前記コイル軸線を中心とする周方向の一方側の端部と他方側の端部とにより形成される前記第２スリットを有する第２巻線部と、前記第１巻線部の前記一方側の端部と前記第２巻線部の前記他方側の端部とを、前記第１巻線部と前記第２巻線部とが前記コイル軸線方向に沿って間隔を有した位置関係で前記コイル軸線方向に沿って連結する連結部と、を備えることが好ましい。
【０００８】
また、上記コイル部品において、前記第１絶縁部材及び前記第２絶縁部材は、前記第１筒部が前記第２筒部の内側に挿入され、前記第１筒部又は前記第２筒部の一方に凸部を有し、前記第１筒部又は前記第２筒部の他方に前記コイル軸線方向に沿って形成された第３スリットを有し、前記第１係止部と前記第２係止部とが係止される位置で前記凸部が前記第３スリットに嵌合されることが好ましい。
【０００９】
また、本発明に係るコイル用絶縁部材は、１本の導体がコイル軸線周りに複数回巻き回されて形成されたコイル巻線部であって前記導体が巻き回されることにより前記コイル巻線部の前記コイル軸線に沿ったコイル軸線方向の一方側の端部に第１スリットが形成され、前記コイル巻線部の前記コイル軸線方向の他方側の端部に第２スリットが形成された前記コイル巻線部における、前記一方側の端部を覆う環状の第１覆い部材、前記第１覆い部材の内縁から前記コイル軸線方向に沿って前記コイル巻線部側に延在し前記コイル巻線部の内側に挿入される第１筒部、前記第１覆い部材の前記コイル巻線部側に設けられ前記第１スリットに嵌合される第１突出部、及び、前記第１筒部に設けられる第１係止部、を有する第１絶縁部材と、前記コイル巻線部の前記他方側の端部を覆う環状の第２覆い部材、前記第２覆い部材の内縁から前記コイル軸線方向に沿って前記コイル巻線部側に延在し前記コイル巻線部の内側に挿入される第２筒部、前記第２覆い部材の前記コイル巻線部側に設けられ前記第２スリットに嵌合される第２突出部、及び、前記第２筒部に設けられ前記第１突出部が前記第１スリットに嵌合され且つ前記第２突出部が前記第２スリットに嵌合された状態で前記第１係止部に係止される第２係止部、を有する第２絶縁部材と、を備えることを特徴とする。
【発明の効果】
【００１０】
本発明に係るコイル部品及びコイル用絶縁部材は、第１覆い部材、第１突出部、及び、第１係止部を有する第１絶縁部材と、第２覆い部材、第２突出部、及び、第２係止部を有する第２絶縁部材とを備え、コイル巻線部のコイル軸線方向の両端部を第１及び第２覆い部材により覆い、第１及び第２突出部がそれぞれコイル巻線部の第１及び第２スリットに嵌合された状態で第１係止部と第２係止部とが係止される。これにより、コイル部品及びコイル用絶縁部材は、適正な絶縁性能を確保した上でコイル用絶縁部材をコイル巻線部に組み付ける際の作業性を向上させることができる。
【図面の簡単な説明】
【００１１】
【図１】図１は、実施形態に係るコイル部品の構成例を示す斜視図である。
【図２】図２は、実施形態に係るコイル部品の構成例を示す図１のＸ−Ｘ断面図である。
【図３】図３は、実施形態に係るコイル部品の構成例を示す分解斜視図である。
【図４】図４は、実施形態に係る第１絶縁ボビンの構成例を示す斜視図である。
【図５】図５は、実施形態に係る第２絶縁ボビンの構成例を示す斜視図である。
【発明を実施するための形態】
【００１２】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
〔実施形態〕
【００１３】
実施形態に係るコイル部品１及び絶縁ボビン２０について説明する。コイル部品１は、例えば、スイッチング電源装置のトランス等に用いられる部品である。コイル部品１は、図１に示すように、コイル巻線部１０と、コイル用絶縁部材としての絶縁ボビン２０と、一対のコア部材３０とを備えている。
【００１４】
コイル巻線部１０は、１本の導体がコイル軸線Ｌ周りに複数回巻き回されて形成されたコイルである。本実施形態では、コイル巻線部１０は、図２及び図３に示すように、平板状且つ線状の導体がコイル軸線Ｌ周りに２回巻き回されて形成されている。コイル巻線部１０は、第１巻線部１１と、第２巻線部１２と、連結部１３とを有している。コイル巻線部１０は、第１巻線部１１と第２巻線部１２とがコイル軸線Ｌ方向に沿って間隔を有して設けられ、第１巻線部１１と第２巻線部１２とが連結部１３により連結されている。ここで、コイル軸線Ｌ方向は、コイル軸線Ｌに沿った方向である。コイル巻線部１０は、導体が巻き回されることによりコイル軸線Ｌ方向の一方側の端部である第１環状端面１１ａに第１スリット１１ｂが形成され、さらにコイル軸線Ｌ方向の他方側の端部である第２環状端面１２ａに第２スリット１２ｂが形成される。
【００１５】
第１巻線部１１は、有端リング状に形成されている。つまり、第１巻線部１１は、導体がコイル軸線Ｌ方向を中心に当該コイル軸線Ｌに直交するコイル軸線直交方向に沿って環状に巻き回され、当該導体の延在方向の両先端部が間隔を有するように形成されている。第１巻線部１１は、コイル軸線Ｌ方向から見た場合、Ｃ字形状に形成されており、コイル軸線Ｌ方向に垂直な平板形状に形成されている。第１巻線部１１は、第１軸線部本体１１ｃと、コイル軸線Ｌを中心とする周方向の一方側の端部である第１終端部１１ｄと、コイル軸線Ｌを中心とする周方向の他方側の端部である第１始端部１１ｅとを有する。第１軸線部本体１１ｃは、お互いに向かい合う第１始端部１１ｅと第１終端部１１ｄとにより第１スリット１１ｂが形成されている。第１スリット１１ｂは、第１軸線部本体１１ｃがコイル軸線直交方向に沿って切り込まれた形状である。第１巻線部１１は、第１始端部１１ｅに第１端子部１１ｆが設けられている。また、第１巻線部１１は、連結部１３により第１終端部１１ｄが第２巻線部１２に連結されている。
【００１６】
第２巻線部１２は、有端リング状に形成されている。つまり、第２巻線部１２は、導体がコイル軸線Ｌ方向を中心にコイル軸線直交方向に沿って環状に巻き回され、当該導体の延在方向の両先端部が向き合って間隔を有するように形成されている。第２巻線部１２は、コイル軸線Ｌ方向から見た場合、Ｃ字形状に形成されており、コイル軸線Ｌ方向に垂直な平板形状に形成され、第１巻線部１１と同等の大きさである。第２巻線部１２は、第２軸線部本体１２ｃと、コイル軸線Ｌを中心とする周方向の一方側の端部である第２終端部１２ｄと、コイル軸線Ｌを中心とする周方向の他方側の端部である第２始端部１２ｅとを有する。第２軸線部本体１２ｃは、お互いに向かい合う第２始端部１２ｅと第２終端部１２ｄとにより第２スリット１２ｂが形成されている。第２スリット１２ｂは、第２軸線部本体１２ｃがコイル軸線直交方向に沿って切り込まれた形状である。第２巻線部１２は、第２始端部１２ｅが連結部１３により第１巻線部１１の第１終端部１１ｄに連結されている。また、第２巻線部１２は、第２終端部１２ｄに第２端子部１２ｆが設けられている。
【００１７】
連結部１３は、第１巻線部１１と第２巻線部１２とがコイル軸線Ｌ方向に沿って間隔を有して設けられた状態で、第１巻線部１１の第１終端部１１ｄと第２巻線部１２の第２始端部１２ｅとをコイル軸線Ｌ方向に沿って連結する。これにより、コイル巻線部１０は、第１巻線部１１の第１端子部１１ｆから第２巻線部１２の第２端子部１２ｆにコイル軸線Ｌを中心に同じ向きの電流が流れる。
【００１８】
絶縁ボビン２０は、コイル巻線部１０をコア部材３０や他の電子部品等から絶縁するコイル用絶縁部材である。絶縁ボビン２０は、耐熱性や剛性に優れた樹脂により形成され、例えばＰＰＳ（Ｐｏｌｙ  Ｐｈｅｎｙｌｅｎｅ  Ｓｕｌｆｉｄｅ）樹脂等により形成される。絶縁ボビン２０は、例えば、金型を用いて樹脂射出成形により製造される。絶縁ボビン２０は、第１絶縁部材としての第１絶縁ボビン２１と、第２絶縁部材としての第２絶縁ボビン２２とを備える。絶縁ボビン２０は、第１絶縁ボビン２１と第２絶縁ボビン２２とがコイル巻線部１０をコイル軸線Ｌ方向の両側から挟み込んで当該コイル巻線部１０に組み付けられる。
【００１９】
第１絶縁ボビン２１は、図４に示すように、第１覆い部材としての第１フランジ部２１ａと、第１筒部２１ｂと、第１突出部としての第１リブ２１ｃと、第１係止部としての一対のロック用爪部２１ｄと、凸部２１ｅとを有する。
【００２０】
第１フランジ部２１ａは、コイル巻線部１０のコイル軸線Ｌ方向の一方側の端部である第１環状端面１１ａを覆う部材である。第１フランジ部２１ａは、環状且つ平板状に形成されている。例えば、第１フランジ部２１ａは、コイル軸線直交方向に沿って第１筒部２１ｂの一方側の縁部から当該第１筒部２１ｂの外側に向けて延在している。第１フランジ部２１ａは、コイル軸線Ｌ方向から見た場合、コイル巻線部１０の第１環状端面１１ａと重なり合っている。第１フランジ部２１ａは、その外周が第１環状端面１１ａの外周よりも若干大きく形成されている。
【００２１】
第１筒部２１ｂは、第１フランジ部２１ａの内縁２１ｆからコイル軸線Ｌ方向に沿ってコイル巻線部１０側に延在する筒状の部材である。第１筒部２１ｂは、コイル軸線Ｌ方向の長さがコイル巻線部１０のコイル軸線Ｌ方向における厚み程度の長さである。第１筒部２１ｂは、コイル巻線部１０の内側に挿入される。さらに、第１筒部２１ｂは、後述する第２絶縁ボビン２２の第２筒部２２ｂの内側に挿入される。
【００２２】
第１リブ２１ｃは、第１フランジ部２１ａのコイル巻線部１０側、つまり第１フランジ部２１ａの第１筒部２１ｂ側に設けられた突出部である。第１リブ２１ｃは、第１絶縁ボビン２１とコイル巻線部１０とのコイル軸線Ｌの周方向における相対位置を定めるものであり、当該相対位置を定める位置に設けられる。第１リブ２１ｃは、コイル軸線Ｌ方向に沿って突出し、第１スリット１１ｂに嵌合される。
【００２３】
一対のロック用爪部２１ｄは、後述する第２絶縁ボビン２２の一対のロック用開口部２２ｄに係止される係止部である。一対のロック用爪部２１ｄは、第１筒部２１ｂに設けられ、第２絶縁ボビン２２の一対のロック用開口部２２ｄに対応する位置に設けられる。例えば、一対のロック用爪部２１ｄは、第１筒部２１ｂの外周面においてコイル軸線直交方向に対向する位置に設けられる。一対のロック用爪部２１ｄは、第１筒部２１ｂの第１フランジ部２１ａとは反対側の端部に位置し、コイル軸線直交方向に突出している。一対のロック用爪部２１ｄを一対のロック用開口部２２ｄに係止する場合に、一対のロック用爪部２１ｄを第１筒部２１ｂの内側に撓ませ易くするために、一対のロック用爪部２１ｄの上方（第１フランジ部２１ａ側）の第１筒部２１ｂが一部刳り貫かれている。
【００２４】
凸部２１ｅは、第１絶縁ボビン２１と第２絶縁ボビン２２との相対位置をより正確に定めるためのものであり、当該相対位置を定める位置に設けられる。例えば、凸部２１ｅは、一対のロック用爪部２１ｄと一対のロック用開口部２２ｄとを係止する位置を定める位置に設けられる。凸部２１ｅは、例えば、第１筒部２１ｂの外周面に設けられコイル軸線直交方向に突出し、コイル軸線Ｌ方向に沿って第１筒部２１ｂの一端から他端に渡って線状に形成されている。凸部２１ｅは、後述する第２絶縁ボビン２２の第３スリット２２ｅに嵌合される。
【００２５】
第２絶縁ボビン２２は、図５に示すように、第２覆い部材としての第２フランジ部２２ａと、第２筒部２２ｂと、第２突出部としての第２リブ２２ｃと、第２係止部としての一対のロック用開口部２２ｄと、第３スリット２２ｅとを有する。
【００２６】
第２フランジ部２２ａは、コイル巻線部１０のコイル軸線Ｌ方向の他方側の端部である第２環状端面１２ａを覆う部材である。第２フランジ部２２ａは、環状且つ平板状に形成されている。例えば、第２フランジ部２２ａは、コイル軸線直交方向に沿って第２筒部２２ｂの一方側の縁部から当該第２筒部２２ｂの外側に向けて延在している。第２フランジ部２２ａは、コイル軸線Ｌ方向から見た場合、コイル巻線部１０の第２環状端面１２ａと重なり合っている。第２フランジ部２２ａは、その外周が第２環状端面１２ａの外周よりも若干大きく形成されている。
【００２７】
第２筒部２２ｂは、第２フランジ部２２ａの内縁２２ｆからコイル軸線Ｌ方向に沿ってコイル巻線部１０側に延在する筒状の部材である。第２筒部２２ｂは、コイル軸線Ｌ方向の長さがコイル巻線部１０のコイル軸線Ｌ方向における厚み程度の長さである。第２筒部２２ｂは、コイル巻線部１０の内側に挿入される。
【００２８】
第２リブ２２ｃは、第２フランジ部２２ａのコイル巻線部１０側、つまり第２フランジ部２２ａの第２筒部２２ｂ側に設けられた突出部である。第２リブ２２ｃは、第２絶縁ボビン２２とコイル巻線部１０とのコイル軸線Ｌの周方向における相対位置を定めるものであり、当該相対位置を定める位置に設けられる。第２リブ２２ｃは、コイル軸線Ｌ方向に沿って突出し、第２スリット１２ｂに嵌合される。
【００２９】
一対のロック用開口部２２ｄは、第１絶縁ボビン２１のロック用爪部２１ｄに係止される係止部である。一対のロック用開口部２２ｄは、第２筒部２２ｂに設けられ、第１絶縁ボビン２１の一対のロック用爪部２１ｄに対応する位置に設けられる。例えば、一対のロック用開口部２２ｄは、第２筒部２２ｂの外周面においてコイル軸線直交方向に対向する位置に設けられる。一対のロック用開口部２２ｄは、第２筒部２２ｂの第２フランジ部２２ａ側の端部に位置し、コイル軸線直交方向に開口している。一対のロック用開口部２２ｄは、第１リブ２１ｃが第１スリット１１ｂに嵌合され且つ第２リブ２２ｃが第２スリット１２ｂに嵌合された状態でロック用爪部２１ｄに係止される。
【００３０】
第３スリット２２ｅは、第１絶縁ボビン２１の凸部２１ｅと協働して第１絶縁ボビン２１と第２絶縁ボビン２２との相対位置をより正確に定めるためのものであり、当該相対位置を定める位置に設けられる。例えば、第３スリット２２ｅは、第１絶縁ボビン２１の凸部２１ｅと協働して一対のロック用爪部２１ｄと一対のロック用開口部２２ｄとを係止する位置を定める位置に設けられる。第３スリット２２ｅは、例えば、第２筒部２２ｂの本体（内周面）に設けられた切り込み部であり、コイル軸線Ｌ方向に沿って第２筒部２２ｂの一端から他端に渡って線状に形成されている。第３スリット２２ｅは、一対のロック用爪部２１ｄと一対のロック用開口部２２ｄとを係止する位置で第１絶縁ボビン２１の凸部２１ｅにコイル軸線Ｌ方向に沿って嵌合される。
【００３１】
一対のコア部材３０は、例えば、透磁率の高い磁性体であるフェライトを含んで形成されている。第１コア部材３１は、主面３１ａを有する第１基部３１ｂと、主面３１ａの中央にコイル軸線Ｌ方向に突設された第１円柱部３１ｃと、主面３１ａの両端に第１円柱部３１ｃを挟んで設けられコイル軸線Ｌ方向に突設された一対の第１挟持柱３１ｄとを有する。第１円柱部３１ｃは、その直径が第１筒部２１ｂの直径よりも短く形成され、第１基部３１ｂの主面３１ａにコイル部品１が載置された状態で第１筒部２１ｂの内側に挿入される。一対の第１挟持柱３１ｄは、第１基部３１ｂの主面３１ａにコイル部品１が載置された状態でコイル部品１の第１絶縁ボビン２１側をコイル軸線直交方向から挟持する。
【００３２】
第２コア部材３２は、第１コア部材３１と同等の形状であり、主面３２ａを有する第２基部３２ｂと、主面３２ａの中央にコイル軸線Ｌ方向に突設された第２円柱部３２ｃと、主面３２ａの両端に第２円柱部３２ｃを挟んで設けられコイル軸線Ｌ方向に突設された一対の第２挟持柱３２ｄとを有する。第２円柱部３２ｃは、その直径が第２筒部２２ｂの直径よりも短く形成され、第２基部３２ｂの主面３２ａにコイル部品１が載置された状態で第２筒部２２ｂの内側に挿入される。一対の第２挟持柱３２ｄは、第２基部３２ｂの主面３２ａにコイル部品１が載置された状態でコイル部品１をコイル軸線直交方向から挟持する。一対のコア部材３１、３２は、コイル部品１に組み付けられた状態で、一対の第１挟持柱３１ｄのコイル軸線Ｌ方向の端面が一対の第２挟持柱３２ｄのコイル軸線Ｌ方向の端面に当接する。
【００３３】
次に、コイル部品１及びコア部材３０の組み付け方法について説明する。コイル軸線Ｌ方向の一方側から第２絶縁ボビン２２の第２筒部２２ｂをコイル巻線部１０の内側に挿入すると共に、コイル巻線部１０の第２スリット１２ｂに第２絶縁ボビン２２の第２リブ２２ｃを嵌合させる。次に、コイル軸線Ｌ方向の他方側から第１絶縁ボビン２１の第１筒部２１ｂをコイル巻線部１０の内側に挿入する。このとき、コイル巻線部１０の内側に挿入された第２絶縁ボビン２２の第３スリット２２ｅに第１絶縁ボビン２１の凸部２１ｅが嵌合されるようにする。これにより、第１絶縁ボビン２１と第２絶縁ボビン２２との相対位置が定まり、一対のロック用爪部２１ｄと一対のロック用開口部２２ｄとを簡単に位置合わせすることができる。コイル巻線部１０の第１スリット１１ｂに第１絶縁ボビン２１の第１リブ２１ｃを嵌合させた状態で一対のロック用爪部２１ｄを一対のロック用開口部２２ｄに係止させる。これにより、コイル部品１は、第１及び第２絶縁ボビン２１、２２が係止され、さらに、第１及び第２リブ２１ｃ、２２ｃにより第１及び第２絶縁ボビン２１、２２がコイル巻線部１０に対してコイル軸線Ｌ周りに回転することを抑制された状態でコイル巻線部１０に組み付けられる。
【００３４】
次に、コイル軸線Ｌ方向の一方側から第２コア部材３２の第２円柱部３２ｃを第１及び第２筒部２１ｂ、２２ｂの内側に挿入し、第２絶縁ボビン２２の第２フランジ部２２ａの外周の一部を一対の第２挟持柱３２ｄにより挟持する。同様に、コイル軸線Ｌ方向の他方側から第１コア部材３１の第１円柱部３１ｃを第１及び第２筒部２１ｂ、２２ｂの内側に挿入し、第１絶縁ボビン２１の第１フランジ部２１ａの外周の一部を一対の第１挟持柱３１ｄにより挟持する。このとき、一対の第１挟持柱３１ｄのコイル軸線Ｌ方向の端面が一対の第２挟持柱３２ｄのコイル軸線Ｌ方向の端面に当接する。
【００３５】
以上のように、実施形態に係るコイル部品１及び絶縁ボビン２０は、第１フランジ部２１ａ、第１リブ２１ｃ、及び、一対のロック用爪部２１ｄを有する第１絶縁ボビン２１と、第２フランジ部２２ａ、第２リブ２２ｃ、及び、一対のロック用開口部２２ｄを有する第２絶縁ボビン２２とを備え、コイル巻線部１０のコイル軸線Ｌ方向の両端部を第１及び第２フランジ部２１ａ、２２ａにより覆い、第１及び第２リブ２１ｃ、２２ｃがそれぞれコイル巻線部１０の第１及び第２スリット１１ｂ、１２ｂに嵌合された状態で一対のロック用爪部２１ｄと一対のロック用開口部２２ｄが係止される。これにより、コイル部品１及び絶縁ボビン２０は、第１及び第２フランジ部２１ａ、２２ａによりコイル巻線部１０のコイル軸線Ｌ方向の両端部をコア部材３０や他の電子部品等から絶縁することができる。また、コイル部品１及び絶縁ボビン２０は、コイル巻線部１０に必然的に形成される第１スリット１１ｂに第１リブ２１ｃが嵌合され、コイル巻線部１０に必然的に形成される第２スリット１２ｂに第２リブ２２ｃが嵌合された状態で第１及び第２絶縁ボビン２１、２２がコイル巻線部１０に組み付けられるので、第１及び第２絶縁ボビン２１、２２に起因してコイル巻線部１０を加工することなく、コイル巻線部１０に対して第１及び第２絶縁ボビン２１、２２がコイル軸線Ｌ周りに回転することを抑制できる。また、コイル部品１及び絶縁ボビン２０は、第１及び第２スリット１１ｂ、１２ｂに第１及び第２リブ２１ｃ、２２ｃがそれぞれ嵌合されるので、第１絶縁ボビン２１と第２絶縁ボビン２２とのコイル軸線Ｌ周りの相対位置を合わせることができ、一対のロック用爪部２１ｄ及び一対のロック用開口部２２ｄにより第１絶縁ボビン２１と第２絶縁ボビン２２とを容易にロックすることができる。このように、コイル部品１及び絶縁ボビン２０は、適正な絶縁性能を確保した上で絶縁ボビン２０をコイル巻線部１０に組み付ける際の作業性を向上させることができる。また、コイル部品１及び絶縁ボビン２０は、絶縁ボビン２０を第１絶縁ボビン２１と第２絶縁ボビン２２の２部品で構成することにより、第１及び第２絶縁ボビン２１、２２の構成を単純化することができる。これにより、コイル部品１及び絶縁ボビン２０は、容易に製造することができるのでコストダウンを図ることができる。
【００３６】
また、コイル部品１において、コイル巻線部１０は、有端リング状に形成され、コイル軸線Ｌを中心とする周方向の一方側の端部である第１終端部１１ｄと他方側の端部である第１始端部１１ｅとにより形成される第１スリット１１ｂを有する第１巻線部１１と、有端リング状に形成され、コイル軸線Ｌを中心とする周方向の一方側の端部である第２終端部１２ｄと他方側の端部である第２始端部１２ｅとにより形成される第２スリット１２ｂを有する第２巻線部１２と、第１巻線部１１の第１終端部１１ｄと第２巻線部１２の第２始端部１２ｅとを第１巻線部１１と第２巻線部１２とがコイル軸線Ｌ方向に沿って間隔を有した位置関係でコイル軸線Ｌ方向に沿って連結する連結部１３とを備える。これにより、コイル巻線部１０は、第１及び第２絶縁ボビン２１、２２に起因してコイル巻線部１０を加工することなく、コイル巻線部１０に対する第１及び第２絶縁ボビン２１、２２の相対位置を定めることができる。
【００３７】
また、コイル部品１において、第１絶縁ボビン２１及び第２絶縁ボビン２２は、第１筒部２１ｂが第２筒部２２ｂの内側に挿入され、第１筒部２１ｂに凸部２１ｅを有し、コイル軸線Ｌ方向に沿って形成された第３スリット２２ｅを第２筒部２２ｂに有し、一対のロック用爪部２１ｄと一対のロック用開口部２２ｄとが係止される位置で凸部２１ｅが第３スリット２２ｅに嵌合される。これにより、コイル部品１は、第１絶縁ボビン２１と第２絶縁ボビン２２との相対位置が定まり、一対のロック用爪部２１ｄと一対のロック用開口部２２ｄとを簡単に位置合わせすることができる。
〔変形例〕
【００３８】
次に、実施形態の変形例について説明する。第１及び第２絶縁ボビン２１、２２は、第１筒部２１ｂに第３スリット２２ｅを有し、第２筒部２２ｂに凸部２１ｅを有してもよい。この場合、第１及び第２絶縁ボビン２１、２２は、一対のロック用爪部２１ｄと一対のロック用開口部２２ｄとが係止される位置で凸部２１ｅが第３スリット２２ｅに嵌合される。
【００３９】
また、第１スリット１１ｂは、第１端子部１１ｆ及び連結部１３を含んで構成されてもよい。また、第２スリット１２ｂは、第２端子部１２ｆ及び連結部１３を含んで構成されてもよい。
【００４０】
また、第１筒部２１ｂが第２筒部２２ｂの内側に挿入されて係止する例について説明したが、これに限定されない。例えば、第１筒部２１ｂの先端部と第２筒部２２ｂの先端部とがコイル軸線Ｌ方向に当接し、この各先端部が当接した状態で第１筒部２１ｂと第２筒部２２ｂとを係止するロック機構を備えるようにしてもよい。
【符号の説明】
【００４１】
１  コイル部品
１０  コイル巻線部
１１  第１巻線部
１１ａ  第１環状端面（一方側の端部）
１１ｂ  第１スリット
１１ｄ  第１終端部（一方側の端部）
１１ｅ  第１始端部（他方側の端部）
１２ａ  第２環状端面（他方側の端部）
１２ｂ  第２スリット
１２ｄ  第２終端部（一方側の端部）
１２ｅ  第２始端部（他方側の端部）
１３  連結部
２０  絶縁ボビン（コイル用絶縁部材）
２１ａ  第１フランジ部（第１覆い部材）
２１ｂ  第１筒部
２１ｃ  第１リブ（第１突出部）
２１ｄ  一対のロック用爪部（第１係止部）
２１ｆ  内縁
２１ｅ  凸部
２２ａ  第２フランジ部（第２覆い部材）
２２ｂ  第２筒部
２２ｃ  第２リブ（第２突出部）
２２ｄ  一対のロック用開口部（第２係止部）
２２ｅ  第３スリット
Ｌ  コイル軸線
【図１】
2018101714.tif 000003
【図２】
2018101714.tif 000004
【図３】
2018101714.tif 000005
【図４】
2018101714.tif 000006
【図５】
2018101714.tif 000007